(57)【要約】【課題】操作を簡略化させること。【解決手段】計時部１３０により、初期調整の画面においての調整時間を計測し、画面表示項目判断部１３１により、第１の目標値と計時部１３０による計測結果とを比較し調整項目の表示数を判断することで、システム制御部１３３により、画面表示項目判断部１３１によって判断された調整項目の表示数に該当する画面表示用データに基づき、表示部であるパネル部１４６に調整項目の表示数が互いに異なる画面（細部調整の画面）を表示させる。【選択図】図１
2016191831.tif 000002
【特許請求の範囲】
【請求項１】
初期調整の画面と調整項目の表示数が互いに異なる複数の細部調整の画面を表示させる画面表示用データが記憶された画面表示用データ記憶部と、
前記画面表示用データに基づいた画面が表示される表示部と、
前記初期調整の画面においての調整時間を計測する計時部と、
第１の目標値と前記計時部による計測結果とを比較し、前記調整項目の表示数を判断する画面表示項目判断部と、
前記画面表示項目判断部によって判断された前記調整項目の表示数に該当する前記画面表示用データに基づき、前記表示部に前記細部調整の画面を表示させるシステム制御部とを備える
ことを特徴とする電子機器。
【請求項２】
前記画面表示項目判断部は、前記計測結果が前記第１の目標値未満である場合、前記細部調整の画面の前記表示数を前記調整項目の全てと判断し、前記計測結果が前記第１の目標値以上である場合、前記細部調整の画面の前記表示数を前記調整項目の一部と判断することを特徴とする請求項１に記載の電子機器。
【請求項３】
前記計時部は、それぞれの前記細部調整の画面においての調整時間を計測し、
前記画面表示項目判断部は、いずれかの前記細部調整の画面においての前記計測結果が前記第１の目標値未満となった場合、次の前記細部調整の画面の前記表示数を前記調整項目の全てと判断することを特徴とする請求項２に記載の電子機器。
【請求項４】
前記画面表示項目判断部は、前記計測結果が前記第１の目標値より短い第２の目標値未満である場合、又は、前記計測結果が前記第１の目標値より長い第３の目標値以上である場合、前記調整時間が不適格と判断し、
前記システム制御部は、前記画面表示項目判断部の判断結果に基づき、前記表示部に警告を表示させる
ことを特徴とする請求項２又は３に記載の電子機器。
【請求項５】
画面表示用データ記憶部により、初期調整の画面と調整項目の表示数が互いに異なる複数の細部調整の画面を表示させる画面表示用データが記憶される工程と、
表示部により、前記画面表示用データに基づいた画面が表示される工程と、
計時部により、前記初期調整の画面においての調整時間を計測する工程と、
画面表示項目判断部により、第１の目標値と前記計時部による計測結果とを比較し、前記調整項目の表示数を判断する工程と、
システム制御部により、前記画面表示項目判断部によって判断された前記調整項目の表示数に該当する前記画面表示用データに基づき、前記表示部に前記細部調整の画面を表示させる工程とを、電子機器を制御するコンピューターに実行させる
ことを特徴とする操作手順提示プログラム。
【発明の詳細な説明】
【技術分野】
【０００１】
本発明は、電子機器における操作手順の提示に適した電子機器及び操作手順提示プログラムに関する。
【背景技術】
【０００２】
従来より、製造ラインにおける作業者による制御装置などに搭載されているセンサーなどの電子部品の調整作業や、サービスマンによる画像形成装置などのメンテナンス作業においては、決まった手順に従っての画面操作などが行われる。この場合、作業者やサービスマンの熟練度によらず、同じ手順での作業が行われるため、作業に慣れた作業者やサービスマンにとっては、調整やメンテナンスに関わる画面表示の切り替えなどによる工程作業が無駄になることもある。一方、作業に不慣れな作業者やサービスマンにとっては、工程作業を覚えるために調整やメンテナンスに関わる画面表示の切り替えなどが必要となることがある。
【０００３】
この場合、作業に慣れた作業者やサービスマンと、作業に不慣れな作業者やサービスマンに対し、それぞれの作業の慣れ具合に応じて画面表示の切り替えが行われれば、両者に対する工程作業の利便性を高めることができるものと考えられる。
【０００４】
このような画面表示の切り替えに関するものとして、特許文献１では、ユーザーの好みや操作熟練度に合わせ、表示部の表示画面を自動的に切り替える際の操作性を向上させた画像形成装置を提案している。
【０００５】
これは、外部操作によりユーザーＩＤが操作手段に受け付けられると、制御手段が、ユーザーＩＤに対応する画面表示用データをデータテーブルから判断し、画面表示用データを画面表示用データ記憶手段から読み出して表示手段に表示させるようにしたものである。
【先行技術文献】
【特許文献】
【０００６】
【特許文献１】特開２００５−１７２９４８号公報
【発明の概要】
【発明が解決しようとする課題】
【０００７】
上述した特許文献１の画像形成装置では、ユーザーＩＤに応じて表示画面がシンプル画面又は通常画面への切り替えが自動で行われるため、操作性が高められる。
【０００８】
ここで、たとえばシンプル画面では使用頻度の高い操作キーが表示され、通常画面では機能の設定に関わる全ての操作キーが表示される。また、予め、シンプル画面又は通常画面を表示させるための画像表示用データと、ユーザーＩＤとを関連付けするための登録が行われることで、ユーザーＩＤに応じた表示画面が表示される。
【０００９】
そのため、このような画面の自動での切り替えを、上述した製造ラインにおける作業者による制御装置などに搭載されている電子部品の調整作業や、サービスマンによる画像形成装置などのメンテナンス作業に適用すると、それぞれの作業者やサービスマン毎に画像表示用データと、ユーザーＩＤとを関連付けするための登録が必要となり、操作が煩わしいという問題があった。
【００１０】
本発明は、このような状況に鑑みてなされたものであり、上記問題点を解消することができる電子機器及び操作手順提示プログラムを提供することを目的とする。
【課題を解決するための手段】
【００１１】
本発明の電子機器は、初期調整の画面と調整項目の表示数が互いに異なる複数の細部調整の画面を表示させる画面表示用データが記憶された画面表示用データ記憶部と、前記画面表示用データに基づいた画面が表示される表示部と、前記初期調整の画面においての調整時間を計測する計時部と、第１の目標値と前記計時部による計測結果とを比較し、前記調整項目の表示数を判断する画面表示項目判断部と、前記画面表示項目判断部によって判断された前記調整項目の表示数に該当する前記画面表示用データに基づき、前記表示部に前記細部調整の画面を表示させるシステム制御部とを備えることを特徴とする。
また、前記画面表示項目判断部は、前記計測結果が前記第１の目標値未満である場合、前記細部調整の画面の前記表示数を前記調整項目の全てと判断し、前記計測結果が前記第１の目標値以上である場合、前記細部調整の画面の前記表示数を前記調整項目の一部と判断することを特徴とする。
また、前記計時部は、それぞれの前記細部調整の画面においての調整時間を計測し、前記画面表示項目判断部は、いずれかの前記細部調整の画面においての前記計測結果が前記第１の目標値未満となった場合、次の前記細部調整の画面の前記表示数を前記調整項目の全てと判断することを特徴とする。
また、前記画面表示項目判断部は、前記計測結果が前記第１の目標値より短い第２の目標値未満である場合、又は、前記計測結果が前記第１の目標値より長い第３の目標値以上である場合、前記調整時間が不適格と判断し、前記システム制御部は、前記画面表示項目判断部の判断結果に基づき、前記表示部に警告を表示させることを特徴とする。
本発明の操作手順提示プログラムは、画面表示用データ記憶部により、初期調整の画面と調整項目の表示数が互いに異なる複数の細部調整の画面を表示させる画面表示用データが記憶される工程と、表示部により、前記画面表示用データに基づいた画面が表示される工程と、計時部により、前記初期調整の画面においての調整時間を計測する工程と、画面表示項目判断部により、第１の目標値と前記計時部による計測結果とを比較し、前記調整項目の表示数を判断する工程と、システム制御部により、前記画面表示項目判断部によって判断された前記調整項目の表示数に該当する前記画面表示用データに基づき、前記表示部に前記細部調整の画面を表示させる工程とを、電子機器を制御するコンピューターに実行させることを特徴とする。
本発明の電子機器及び操作手順提示プログラムでは、計時部により、初期調整の画面においての調整時間を計測し、画面表示項目判断部により、第１の目標値と計時部による計測結果とを比較し調整項目の表示数を判断することで、システム制御部により、画面表示項目判断部によって判断された調整項目の表示数に該当する画面表示用データに基づき、表示部に画面を表示させることができる。
これにより、画面表示項目判断部により、第１の目標値よりも早く調整が完了した場合と、第１の目標値よりも遅く調整が完了した場合とで、細部調整の画面での調整項目の表示数を変えることができる。
【発明の効果】
【００１２】
本発明の電子機器及び操作手順提示プログラムによれば、画面表示項目判断部により、第１の目標値よりも早く調整が完了した場合と、第１の目標値よりも遅く調整が完了した場合とで、細部調整の画面での調整項目の表示数を変えることができるので、従来のような画像表示用データとユーザーＩＤとの関連付けの登録が不要となり、操作を簡略化させることができる。
【図面の簡単な説明】
【００１３】
【図１】本発明の電子機器を画像形成装置であるＭＦＰに適用した場合の一実施形態を示す図である。
【図２】図１のパネル部に表示される画面を説明するものであって、同図（ａ）は調整１の画面１（初期調整の画面）を示す図であり、同図（ｂ）は調整１の画面２（初期調整の画面）を示す図であり、同図（ｃ）は調整２の画面３（細部調整の画面）を示す図であり、同図（ｄ）は調整２の画面４（細部調整の画面）を示す図である。
【図３】図１のパネル部に表示される画面を説明するものであって、同図（ａ）は調整２の画面５（細部調整の画面）を示す図であり、同図（ｂ）は調整２の画面６（細部調整の画面）を示す図であり、同図（ｃ）は調整２の画面７（細部調整の画面）を示す図であり、同図（ｄ）は調整２の画面８（細部調整の画面）を示す図である。
【図４】図１の画面表示項目判断部による、調整に関わる者が熟練者であるか初心者であるかを判断する際の目標値について説明するための図である。
【図５】図１の画面表示項目判断部による判断結果に基づいた画面の自動切り替えについて説明するためのフローチャートである。
【図６】図１の画面表示項目判断部による、調整に関わる者が熟練者であるか初心者であるかを判断する際の目標値の他の例について説明するための図である。
【発明を実施するための形態】
【００１４】
以下、本発明の電子機器の一実施形態を、図１〜図５を参照しながら説明する。なお、以下の説明においての電子機器の一例としては、たとえばコピー、プリント、ＦＡＸ（Ｆａｃｓｉｍｉｌｅ）などの各ジョブのマルチ動作機能などを搭載した複合的な周辺機器であるＭＦＰ（Ｍｕｌｔｉｆｕｎｃｔｉｏｎ  Ｐｅｒｉｐｈｅｒａｌ）であるものとする。
【００１５】
まず、図１に示すように、ＭＦＰ１００は、制御部１２０、スキャナー部１４０、プリンター部１４１、ＦＡＸ部１４２、Ｉ／Ｆ（インターフェース）１４３、用紙検出センサー１４４、検知センサー１４５ａ〜１４５ｃ、パネル部１４６を備えている。
【００１６】
スキャナー部１４０は、イメージセンサー（図示省略）によって読み取られる原稿の画像データを制御部１２０に入力する。すなわち、スキャナー部１４０は、イメージセンサー（図示省略）からの原稿の画像信号をデジタルの画像データに変換し、順次、制御部１２０に入力する。
【００１７】
プリンター部１４１は、制御部１２０から出力される画像データに基づき、用紙上に画像をプリントする。ＦＡＸ部１４２は、制御部１２０から出力される画像データを、電話回線を通じ相手方となるファクシミリへと送信し、また、相手方ファクシミリからの画像データを受信して制御部１２０に入力する。すなわち、ＦＡＸ部１４２は、図示しないＮＣＵ（Ｎｅｔｗｏｒｋ  Ｃｏｎｔｒｏｌ  Ｕｎｉｔ）により電話回線との接続を制御しつつ、制御部１２０から出力される画像データを圧縮し変調して、相手方ファクシミリへと送信する。また、ＦＡＸ部１４２は、ＮＣＵにより電話回線と接続しつつ、相手方ファクシミリからの画像データを復調し伸張して、制御部１２０に入力する。
【００１８】
Ｉ／Ｆ１４３は、社内ＬＡＮ（Ｌｏｃａｌ  Ａｒｅａ  Ｎｅｔｗｏｒｋ）などのネットワーク（図示省略）を介してたとえばクライアント端末（図示省略）との通信を行う。
【００１９】
用紙検出センサー１４４は、図示しない給紙カセットに収容されている用紙を検出する。検知センサー１４５ａ〜１４５ｃは、ＭＦＰ１００の本体内部の図示しない搬送路に沿って搬送される用紙を検知する。
【００２０】
表示部としてのパネル部１４６は、ＭＦＰ１００のプリンター機能、ＦＡＸ機能、スキャン機能のいずれかの選択や、各種設定を行うための操作ボタンなどを表示する。また、パネル部１４６は、たとえば用紙検出センサー１４４、検知センサー１４５ａ〜１４５ｃなどの調整を行うための後述の画面などを表示する。
【００２１】
制御部１２０は、ＭＦＰ１００全体の動作を制御するものであり、スキャナー制御部１２１、プリンター制御部１２２、ＦＡＸ（Ｆａｃｓｉｍｉｌｅ）制御部１２３、通信制御部１２４、ＲＡＭ（Ｒａｎｄｏｍ  Ａｃｃｅｓｓ  Ｍｅｍｏｒｙ）１２５、ＲＯＭ（Ｒｅａｄ  Ｏｎｌｙ  Ｍｅｍｏｒｙ）１２６、画像処理部１２７、用紙検出センサー制御部１２８、検知センサー制御部１２９、計時部１３０、画面表示項目判断部１３１、パネル操作制御部１３２を備えている。また、これらは、データバス１３４に接続されている。
【００２２】
スキャナー制御部１２１は、スキャナー部１４０の読み取り動作を制御する。プリンター制御部１２２は、プリンター部１４１のプリント動作を制御する。ＦＡＸ制御部１２３は、ＦＡＸ部１４２による画像データの送受信動作を制御する。通信制御部１２４は、Ｉ／Ｆ１４３を介しての通信を制御する。
【００２３】
ＲＡＭ１２５は、プログラムを実行するためのワークメモリである。ＲＯＭ１２６には、各部の動作チェックなどを行う制御プログラムなどが格納されている。画像処理部１２７は、たとえばスキャナー部１４０によって読み取られた原稿の画像データに対する画像処理を行う。
【００２４】
用紙検出センサー制御部１２８は、用紙検出センサー１４４による用紙検出動作を制御する。検知センサー制御部１２９は、検知センサー１４５ａ〜１４５ｃによる用紙の検知動作を制御する。
【００２５】
計時部１３０は、たとえば用紙検出センサー１４４、検知センサー１４５ａ〜１４５ｃなどの調整に関わる時間を計測する。画面表示項目判断部１３１は、計時部１３０による計時結果に基づき、パネル部１４６に表示すべき調整に関わる調整項目の表示数を判断する。
【００２６】
パネル操作制御部１３２は、パネル部１４６の表示動作を制御する。システム制御部１３３は、主に、画面表示項目判断部１３１による判断結果に基づき、パネル操作制御部１３２を介してパネル部１４６に調整に関わる調整項目などを表示させる。
【００２７】
次に、図２〜図４を参照し、画面表示項目判断部１３１による判断結果に基づいた画面の切り替えの概要について説明する。なお、以下に説明する図２及び図３において、図２（ａ）（ｂ）は初期調整を行う画面であり、図２（ｃ）（ｄ）、図３（ａ）〜（ｄ）は細部調整を行う画面である。
【００２８】
まず、図４に示すように、上述した調整に要する時間から、調整作業に慣れている熟練者（調整作業の熟練度が高い）であるか、又は調整作業に不慣れである初心者（調整作業の熟練度が低い）であるかを見極めるための第１の目標値が設定されている。第１の目標値は、たとえば画面表示項目判断部１３１により保持される。なお、第１の目標値は、調整作業に慣れている熟練者による調整に要すると想定される時間である。
【００２９】
よって、第１の目標値よりも早く調整が完了した場合は調整作業の熟練度が高い熟練者であると判断でき、第１の目標値よりも遅く調整が完了した場合は調整作業の熟練度が低い初心者であると判断できる。なお、調整に要した時間については、上述した計時部１３０による計測結果から得られる。また、第１の目標値については、任意に設定変更することができる。
【００３０】
以上のような画面表示項目判断部１３１による、熟練者であるか初心者であるかの判断を踏まえ、調整に関わる画面の切り替えについて説明する。
【００３１】
まず、調整においては、システム制御部１３３が図２（ａ）に示すような調整１の画面１（初期調整の画面）をパネル部１４６に表示させる。画面１には、調整１のボタンが表示される。ここで、調整１のボタンを押下すると、矢印イで示す図２（ｂ）のように、システム制御部１３３がパネル部１４６に調整１の画面２（初期調整の画面）を表示させる。
【００３２】
画面２には、Ｓｅｎｓｏｒ１、Ｓｅｎｓｏｒ２の調整に関わる表示項目と図示しない完了ボタンとが表示される。なお、Ｓｅｎｓｏｒ１は、たとえば上述した検知センサー１４５ａに相当するものとする。また、Ｓｅｎｓｏｒ２は、たとえば上述した検知センサー１４５ｂに相当するものとする。画面２では、たとえばＳｅｎｓｏｒ１、Ｓｅｎｓｏｒ２の感度などの調整が行われる。なお、Ｓｅｎｓｏｒ１、Ｓｅｎｓｏｒ２の調整においては、パネル部１４６などに表示される、図示しないテンキーなどの操作により行うことができる。
【００３３】
ここで、Ｓｅｎｓｏｒ１、Ｓｅｎｓｏｒ２の調整が完了した後、たとえば画面２に表示される、図示しない完了ボタンを押下すると、システム制御部１３３がパネル部１４６に図２（ｃ）に示すような調整２の画面３（細部調整の画面）を表示させる。このとき、計時部１３０は、たとえば調整１の画面１が表示されてから、調整１の画面２にて図示しない完了ボタンが押下されるまでの時間を計測する。
【００３４】
また、画面表示項目判断部１３１は、計時部１３０による計測結果と、図４に示した第１の目標値とを比較する。ここで、計時部１３０による計測結果が、第１の目標未満である場合、画面表示項目判断部１３１は、ユーザーが調整作業に慣れている熟練者であると判断する。このとき、画面表示項目判断部１３１は、細部調整の画面の調整項目の表示数を４つ（調整項目の全て）と判断する。
【００３５】
そして、図２（ｃ）に示す画面３にて調整２のボタンが押下されると、システム制御部１３３がパネル部１４６に矢印ロで示す図２（ｄ）のような調整１の画面４（細部調整の画面）を表示させる。ここで、画面４の調整項目の表示数は４つとされている。すなわち、画面４には、たとえばＳｅｎｓｏｒ１の調整に関わる全ての調整項目（移動量など）である、たとえばＴｏｐ、Ｌｅｆｔ、Ｒｉｇｈｔ、Ｔａｉｌが表示される。また、図示しない完了ボタンも表示される。画面４においても、上述したように、パネル部１４６などに表示される、図示しないテンキーなどの操作により、Ｔｏｐ、Ｌｅｆｔ、Ｒｉｇｈｔ、Ｔａｉｌのそれぞれの調整を行うことができる。
【００３６】
また、計時部１３０による計測結果が、第１の目標以上である場合、画面表示項目判断部１３１は、ユーザーが調整作業に不慣れな初心者であると判断する。このとき、画面表示項目判断部１３１は、細部調整の画面の調整項目の表示数を１つ（調整項目の一部）と判断する。そして、図２（ｃ）の画面３にて調整２のボタンが押下されると、システム制御部１３３がパネル部１４６に図３（ａ）に示す調整２の画面５（細部調整の画面）を表示させる。ここで、画面５の調整項目の表示数は１つとされている。すなわち、画面５には、たとえばＳｅｎｓｏｒ１の調整に関わる調整項目の一部である、たとえばＴｏｐが表示される。また、図示しない完了ボタンも表示される。
【００３７】
ここで、Ｔｏｐの調整が完了し、図示しない完了ボタンが押下されと、システム制御部１３３がパネル部１４６に矢印ハで示す図３（ｂ）のような調整２の画面６（細部調整の画面）を表示させる。ここで、画面６の調整項目の表示数は２つとされている。すなわち、画面６には、たとえばＳｅｎｓｏｒ１の調整に関わる調整項目の一部である、たとえばＴｏｐ、Ｌｅｆｔが表示される。また、図示しない完了ボタンも表示される。なお、Ｔｏｐについては、画面５にて既に調整が済んでいるため、未調整のＬｅｆｔについての調整が完了し、図示しない完了ボタンが押下されと、システム制御部１３３がパネル部１４６に矢印ニで示す図３（ｃ）のような調整２の画面７（細部調整の画面）を表示させる。
【００３８】
ここで、画面７の調整項目の表示数は３つとされている。すなわち、画面７には、たとえばＳｅｎｓｏｒ１の調整に関わる調整項目の一部である、たとえばＴｏｐ、Ｌｅｆｔ、Ｒｉｇｈｔが表示される。また、図示しない完了ボタンも表示される。なお、Ｔｏｐ、Ｌｅｆｔについては画面５、６にて既に調整が済んでいるため、未調整のＲｉｇｈｔについての調整が完了し、図示しない完了ボタンが押下されと、システム制御部１３３がパネル部１４６に矢印ホで示す図３（ｄ）のような調整２の画面８（細部調整の画面）を表示させる。
【００３９】
ここで、画面８の調整項目の表示数は４つとされている。すなわち、画面８には、たとえばＳｅｎｓｏｒ１の調整に関わる調整項目の全てである、Ｔｏｐ、Ｌｅｆｔ、Ｒｉｇｈｔ、Ｔａｉｌが表示される。また、図示しない完了ボタンも表示される。なお、Ｔｏｐ、Ｌｅｆｔ、Ｒｉｇｈｔについては画面５、６、７にて既に調整が済んでいるため、未調整のＴａｉｌについての調整が完了し、図示しない完了ボタンが押下されと、システム制御部１３３が調整を終了させる。
【００４０】
なお、初心者であっても、たとえば画面５、６での調整の進行に伴い、調整作業に慣れてくる場合がある。すなわち、たとえば図３（ｂ）での調整に要する時間が図４に示した第１の目標値未満となった場合、画面表示項目判断部１３１はユーザーが熟練者であると判断する。このとき、画面表示項目判断部１３１は、細部調整の画面の調整項目の表示数を４つ（調整項目の全て）と判断する。この場合、システム制御部１３３は、図３（ｃ）に示す画面７のパネル部１４６に対する表示を省き、矢印ヘで示す図３（ｄ）の画面８をパネル部１４６に表示させてもよい。
【００４１】
また、図２（ａ）〜（ｄ）及び図３（ａ）〜（ｄ）に示した画面は、システム制御部１３３が画面表示用データを読み込むことでパネル部１４６に表示させる。この画面表示用データについては、画面表示用データ記憶部としてのたとえば図示しないＨＤＤ（Ｈａｒｄ  ｄｉｓｋ  ｄｒｉｖｅ）などに記憶させておくことができる。
【００４２】
なお、図３（ｂ）〜（ｄ）では、調整済みの調整項目に、未調整の調整項目が表示される場合で示しているが、これに限らず、調整済みの調整項目を表示させず、未調整の調整項目のみを表示させてもよい。
【００４３】
次に、図５を参照し、画面表示項目判断部１３１による判断結果に基づいた画面の切り替えについて説明する。
【００４４】
まず、調整が開始されると、システム制御部１３３が図２（ａ）に示した調整１の画面１（初期調整の画面）をパネル部１４６に表示させる（ステップＳ１０１）。画面１には、上述したように、調整１のボタンが表示される。ここで、調整１のボタンの押下待ちとなり（ステップＳ１０２：Ｎｏ）、調整１のボタンが押下されると（ステップＳ１０２：Ｙｅｓ）、システム制御部１３３がパネル部１４６に図２（ｂ）に示した調整１の画面２（初期調整の画面）を表示させる（ステップＳ１０３）。
【００４５】
画面２には、上述したように、Ｓｅｎｓｏｒ１、Ｓｅｎｓｏｒ２の調整に関わる表示項目と、図示しない完了ボタンとが表示されている。Ｓｅｎｓｏｒ１、Ｓｅｎｓｏｒ２の調整が完了した後、図示しない完了ボタンの押下待ちとなり（ステップＳ１０４：Ｎｏ）、完了ボタンが押下されると（ステップＳ１０４：Ｙｅｓ）、システム制御部１３３がパネル部１４６に図２（ｃ）に示した調整２の画面３（細部調整の画面）を表示させる（ステップＳ１０５）。
【００４６】
このとき、計時部１３０は、調整１の画面１が表示されてから、調整１の画面２にて図示しない完了ボタンが押下されるまでの時間を計測する。また、画面表示項目判断部１３１は、計時部１３０による計測結果と、図４に示した第１の目標値とを比較する。ここで、計時部１３０による計測結果が、第１の目標値未満であれば（ステップＳ１０６：Ｙｅｓ）、画面表示項目判断部１３１はユーザーが調整作業に慣れている熟練度が高い熟練者であると判断する（ステップＳ１０７）。このとき、画面表示項目判断部１３１は、細部調整の画面の調整項目の表示数を調整項目の全てと判断する。
【００４７】
そして、図２（ｃ）に示した画面３にて調整２のボタンの押下待ちとなり（ステップＳ１０８：Ｎｏ）、調整２のボタンが押下されると（ステップＳ１０８：Ｙｅｓ）、システム制御部１３３がパネル部１４６に図２（ｄ）に示した調整２の画面４（細部調整の画面）を表示させる（ステップＳ１０９）。画面４には、上述したように、たとえばＳｅｎｓｏｒ１の調整に関わる全ての移動量などの調整項目である、たとえばＴｏｐ、Ｌｅｆｔ、Ｒｉｇｈｔ、Ｔａｉｌと、図示しない完了ボタンとが表示されている。
【００４８】
ここで、Ｔｏｐ、Ｌｅｆｔ、Ｒｉｇｈｔ、Ｔａｉｌの調整が完了した後、図示しない完了ボタンの押下待ちとなり（ステップＳ１１０：Ｎｏ）、完了ボタンが押下されると（ステップＳ１１０：Ｙｅｓ）、システム制御部１３３が処理を終了させる。
【００４９】
一方、ステップＳ１０６において、計時部１３０による計測結果が、第１の目標値以上であれば（ステップＳ１０６：Ｙｅｓ）、画面表示項目判断部１３１はユーザーが調整作業に慣れていない熟練度が低い初心者であると判断する（ステップＳ１１１）。このとき、画面表示項目判断部１３１は、細部調整の画面の調整項目の表示数を調整項目の一部と判断する。
【００５０】
そして、図２（ｃ）に示した画面３での調整２のボタンの押下待ちとなり（ステップＳ１１２：Ｎｏ）、調整２のボタンが押下されると（ステップＳ１１２：Ｙｅｓ）、システム制御部１３３がパネル部１４６に図３（ａ）に示した調整２の画面５（細部調整の画面）を表示させる（ステップＳ１１３）。画面５には、たとえばＳｅｎｓｏｒ１の調整に関わる調整項目の一部である、たとえばＴｏｐと図示しない完了ボタンとが表示される。
【００５１】
ここで、Ｔｏｐの調整が完了した後、図示しない完了ボタンの押下待ちとなり（ステップＳ１１４：Ｎｏ）、図示しない完了ボタンが押下されると（ステップＳ１１４：Ｙｅｓ）、システム制御部１３３がパネル部１４６に図３（ｂ）に示した調整２の画面６（細部調整の画面）を表示させる（ステップＳ１１５）。
【００５２】
画面６には、たとえばＳｅｎｓｏｒ１の調整に関わる調整項目の一部である、たとえばＴｏｐ、Ｌｅｆｔと図示しない完了ボタンとが表示される。なお、Ｔｏｐについては、画面５にて既に調整が済んでいるため、Ｌｅｆｔについての調整が完了した後、図示しない完了ボタンの押下待ちとなり（ステップＳ１１６：Ｎｏ）、図示しない完了ボタンが押下されると（ステップＳ１１６：Ｙｅｓ）、システム制御部１３３がパネル部１４６に図３（ｃ）に示した調整２の画面７（細部調整の画面）を表示させる（ステップＳ１１７）。
【００５３】
画面７には、たとえばＳｅｎｓｏｒ１の調整に関わる調整項目の一部である、たとえばＴｏｐ、Ｌｅｆｔ、Ｒｉｇｈｔと図示しない完了ボタンとが表示される。なお、Ｔｏｐ、Ｌｅｆｔについては画面５、６にて既に調整が済んでいるため、Ｒｉｇｈｔについての調整が完了した後、図示しない完了ボタンの押下待ちとなり（ステップＳ１１８：Ｎｏ）、図示しない完了ボタンが押下されると（ステップＳ１１８：Ｙｅｓ）、システム制御部１３３がパネル部１４６に図３（ｄ）に示した調整２の画面８（細部調整の画面）を表示させる（ステップＳ１１９）。
【００５４】
画面８には、たとえばＳｅｎｓｏｒ１の調整に関わる調整項目の全てである、Ｔｏｐ、Ｌｅｆｔ、Ｒｉｇｈｔ、Ｔａｉｌと図示しない完了ボタンとが表示される。なお、Ｔｏｐ、Ｌｅｆｔ、Ｒｉｇｈｔについては画面５、６、７にて既に調整が済んでいるため、Ｔａｉｌについての調整が完了した後、図示しない完了ボタンの押下待ちとなり（ステップＳ１２０：Ｎｏ）、図示しない完了ボタンが押下されると（ステップＳ１２０：Ｙｅｓ）、システム制御部１３３が処理を終了させる。
【００５５】
このように、本実施形態では、計時部１３０により、初期調整の画面２においての調整時間を計測し、画面表示項目判断部１３１により、第１の目標値と計時部１３０による計測結果とを比較し調整項目の表示数を判断することで、システム制御部１３３により、画面表示項目判断部１３１によって判断された調整項目の表示数に該当する画面表示用データに基づき、表示部であるパネル部１４６に調整項目の表示数が互いに異なる画面４〜８（細部調整の画面）を表示させることができる。
【００５６】
これにより、画面表示項目判断部１３１により、第１の目標値よりも早く調整が完了した場合と、第１の目標値よりも遅く調整が完了した場合とで、調整項目の表示数を変えることができ、従来のような画像表示用データとユーザーＩＤとの関連付けの登録が不要となり、操作を簡略化させることができる。
【００５７】
すなわち、画面表示項目判断部１３１が、第１の目標値よりも早く調整が完了した場合に調整作業の熟練度が高い熟練者であると判断すると、システム制御部１３３がパネル部１４６に全ての調整項目を表示する画面４を表示させる。これにより、調整作業の熟練度が高い熟練者は、画面の切り替え操作を極力少なくして調整を行うことができ、効率的な調整作業を行うことができる。
【００５８】
また、画面表示項目判断部１３１が、第１の目標値よりも遅く調整が完了した場合は調整作業の熟練度が低い初心者であると判断し、システム制御部１３３がパネル部１４６に全ての調整項目の一部を表示する画面５〜８を表示させる。これにより、調整作業の熟練度が低い初心者は、調整作業の手順を覚えながら調整を進めることができる。
【００５９】
また、本実施形態では、計時部１３０により、たとえば調整項目の表示数が互いに異なるそれぞれの画面４〜８においての調整時間を計測することも可能である。この場合、上述したように、初心者であっても調整作業の慣れ具合に応じて、たとえば図３（ｃ）に示す画面７のパネル部１４６に対する表示を省き、矢印ヘで示した図３（ｄ）の画面８をパネル部１４６に表示させることができる。
【００６０】
なお、本実施形態では、画面表示項目判断部１３１が計時部１３０による計測結果と、第１の目標値とを比較し、調整作業に慣れている熟練者であるか、調整作業に不慣れな初心者であるかを見極めて調整項目の表示数を判断する場合として説明したが、この例に限らず、図６に示すように、第２の目標値と第３の目標値を追加し、これらの目標値と計時部１３０による計測結果とを比較してもよい。
【００６１】
すなわち、第２の目標値は、上述した第１の目標値より短い時間である。また、第３の目標値は、上述した第１の目標値より長い時間である。ここで、画面表示項目判断部１３１は、計時部１３０による計測結果が第２の目標値未満であれば、調整手順が抜けていると判断する。すなわち、画面表示項目判断部１３１は、計測された調整時間が不適格と判断する。この場合、システム制御部１３３がパネル部１４６に警告を表示させる。
【００６２】
すなわち、上述したように、第１の目標値は、調整作業に慣れている熟練者による調整に要すると想定される時間であるため、計時部１３０による計測結果が第１の目標値より短い第２の目標値未満であれば、調整手順が抜けている可能性があると想定できる。
【００６３】
また、画面表示項目判断部１３１は、計時部１３０による計測結果が第３の目標値以上であれば、システムトラブルが発生したと判断する。すなわち、画面表示項目判断部１３１は、計測された調整時間が不適格と判断する。この場合も、システム制御部１３３がパネル部１４６に警告を表示させる。
【００６４】
すなわち、第３の目標値は、調整作業に不慣れな初心者による調整に要すると想定される時間である。よって、計時部１３０による計測結果が第３の目標値以上であれば、システムトラブルが発生した可能性があると想定できる。
【００６５】
また、本実施形態では、たとえば用紙検出センサー１４４、検知センサー１４５ａ〜１４５ｃについての調整に適用した場合として説明したが、この例に限らず、スキャナー部１４０に搭載されている図示しないＣＣＤ（Ｃｈａｒｇｅ  Ｃｏｕｐｌｅｄ  Ｄｅｖｉｃｅ）イメージセンサーなどの調整に適用してもよい。
【００６６】
また、本実施形態では、ＭＦＰ１００での調整に適用した場合として説明したが、この例に限らず、調整が必要となる、製造ラインにおける制御装置や、ＡＴＭ（Ａｕｔｏｍａｔｅｄ  Ｔｅｌｌｅｒ  Ｍａｃｈｉｎｅ）、券売機などの他の電子機器の調整にも適用可能である。
【符号の説明】
【００６７】
１００  ＭＦＰ
１２０  制御部
１２１  スキャナー制御部
１２２  プリンター制御部
１２３  ＦＡＸ制御部
１２４  通信制御部
１２５  ＲＡＭ
１２６  ＲＯＭ
１２７  画像処理部
１２８  用紙検出センサー制御部
１２９  検知センサー制御部
１３０  計時部
１３１  画面表示項目判断部
１３２  パネル操作制御部
１３３  システム制御部
１３４  データバス
１４０  スキャナー部
１４１  プリンター部
１４２  ＦＡＸ部
１４３  Ｉ／Ｆ
１４４  用紙検出センサー
１４５ａ〜１４５ｃ  検知センサー
１４６  パネル部
【図１】
2016191831.tif 000003
【図２】
2016191831.tif 000004
【図３】
2016191831.tif 000005
【図４】
2016191831.tif 000006
【図５】
2016191831.tif 000007
【図６】
2016191831.tif 000008